(57)【要約】【課題】  バヨネットボタンに以下の２つの機能を併せ持たせる。  （１）バヨネットリング及び各種アクセサリーの着脱機能。  （２）スイッチを押圧する為のボタンとしての機能。【解決手段】  （Ａ）バヨネットボタンとバヨネットロック部材は、ボタン押圧方向に同量のストロークを有する。  （Ｂ）そして、バヨネットボタン押圧方向の直下近傍にはスイッチが配置されている構成とする。【選択図】  図５
2007133237.tif 000002
【特許請求の範囲】
【請求項１】
撮像光学系と、装置本体を把持する為のグリップ部と、装置本体に着脱可能な部材と、
装置正面側に前記装置本体に対して着脱可能な部材の  着脱動作を行う為の操作部材と、
を備えた撮像装置において、
前記操作部材が操作者により押圧動作を受けた際に、該撮像装置の各種設定を変更できるような機能を併せ持つこと、
を特徴とする撮像装置。
【請求項２】
請求項１に記載の撮像装置において、
前記操作部材は、前記撮像装置正面側から見て  撮像光学系を挟んで  前記グリップ部とは反対側に備えられ、
更に前記操作部材の押圧動作により防振機能のON/OFFの切り替えが可能であること、
を特徴とする撮像装置。
【発明の詳細な説明】
【技術分野】
【０００１】
本発明は、フィルターやコンバータ等のアクセサリーを本体に着脱可能な機構を備えたカメラなどの撮像装置に関するものである。
【背景技術】
【０００２】
従来  デジタルカメラなどの撮像装置において、装置本体に対してフィルター、テレコンバーター、ワイドコンバーター等の各種アクセサリーを着脱可能なものが知られている。
【０００３】
例えば、特開平１０−１８６２０１や特開平１０−１８６２０２にあるように撮影レンズの前面にアクセサリー取付け装置を備えたものが提案されている。このアクセサリー取付け装置は、溝とその溝に係合する係合子から成る。溝は、撮影レンズを内蔵したレンズ鏡筒の先端外周に設けられている。
【０００４】
しかし上記記載の取付け装置では、レンズ鏡筒にアクセサリーを直接取付ける為、例えば不使用時にレンズ鏡筒がカメラボディに沈胴する沈胴式カメラの場合にはアクセサリーを取付けた状態で鏡筒を沈胴させると、アクセサリーがカメラボディに干渉してしまうという問題があった。加えて、アクセサリー未使用時にはレンズ鏡筒の先端外周に設けた溝が外観側に露出する為、美観を損ねるといった問題もあった。
【０００５】
また、特開平８−６２６９３にあるようにカメラボディ底面に設けられた三脚ネジを使用してアクセサリー取付け装置を装着するというものが提案されている。このアクセサリー取付け装置は、撮影レンズの前面側に位置するようにアクセサリーの取付け部を有しており、この取付け部に各種アクセサリーを取付ける構造となっている。
【０００６】
しかし上記構成では、アクセサリー使用時にまずカメラボディにアクセサリー取付け装置を装着し、その後アクセサリー取付け装置にアクセサリーを装着する必要があるので操作性が良好とは言えない。また、カメラボディとは別体の取付け装置にアクセサリーが装着される為、アクセサリー装着時の撮影光軸のズレが生じ易いといった問題もある。
【０００７】
そこで上記問題を解決する為に、特開２０００−３３０１７９にもあるような所謂バヨネット方式が知られている。バヨネット方式とは、アクセサリー側に設けられたバヨネット突起を装置本体側のバヨネット溝に嵌め込む、という機構である。これにより撮影レンズの前面に、アクセサリーを簡便且つ的確に装着できるマウント部を備えたカメラを提供し、またアクセサリーを装着しない時でも、カメラの外観を損なわないようにする、というものである。
【特許文献１】特開平１０-１８６２０１号公報
【特許文献２】特開平１０-１８６２０２号公報
【特許文献３】特開平８-６２６９３号公報
【特許文献４】特開２０００-３３０１７９号公報
【発明の開示】
【発明が解決しようとする課題】
【０００８】
しかしながら、これまで前記特開２０００−３３０１７９にあるようなバヨネット方式を有する機構において、バヨネットリング或いは各種アクセサリーを取り外す際に押圧する操作部材の主たる機能は、前記バヨネットリング或いは各種アクセサリーを取り外す為の「ロック解除ボタン」としてのものであり、前記操作部材の押圧動作を「撮像装置に設けられたスイッチを押圧する」など他の機能と併用するものは無かった。
【課題を解決するための手段】
【０００９】
そこで上記従来技術を顧み、本発明は以下の手段を講じている。
【００１０】
即ち本発明では、
撮像光学系と、装置本体を把持する為のグリップ部と、装置本体に着脱可能な部材と、
装置正面側に前記装置本体に対して着脱可能な部材の着脱動作を行う為の操作部材と、
を備えた撮像装置において、
前記操作部材が操作者により押圧動作を受けた際に、該撮像装置の各種設定を変更できるような機能を併せ持つこと、
を特徴とする撮像装置を提供する。
【００１１】
また、本発明に係る撮像装置に於いて、
前記操作部材は、前記撮像装置正面側から見て撮像光学系を挟んで前記グリップ部とは反対側に備えられ、
更に前記操作部材の押圧動作により防振機能のON/OFFの切り替えが可能であること、
を特徴とする。
【発明の効果】
【００１２】
以上説明したように、本発明によれば、撮像光学系と、装置本体を把持する為のグリップ部と、装置本体に着脱可能な部材と、装置正面側に前記装置本体に対して着脱可能な部材の着脱動作を行う為の操作部材と、を備えた撮像装置において、前記操作部材が操作者により押圧動作を受けた際に、該撮像装置の各種設定を変更できるような機能を併せ持つこと、を特徴とする撮像装置を提供するので、従来のようなバヨネットリング或いは各種アクセサリーを取り外す為の「ロック解除ボタン」としての機能に加え、「撮像装置に設けられたスイッチを押圧する」という機能も持ち、部品点数の削減即ちコストダウンに繋げることができる。
【００１３】
また、本発明によれば、前記操作部材を、撮像装置正面側から見て撮像光学系を挟んでグリップ部とは反対側に配置し、更に該操作部材の押圧動作により防振機能のＯＮ/ＯＦＦの切り替えが可能となるようにしたので、従来のように防振機能のＯＮ/ＯＦＦボタンを新規に設ける、或いは他のボタンと併用する、或いはメニュー階層の下位にて選択させる、等の手段をとる必要が無く、コストダウン効果に加え、前述したような良好な操作性を得る事ができる。
【発明を実施するための最良の形態】
【００１４】
（実施例１）
以下、添付図に従って本発明に係る電子機器装置の好ましい実施の形態について詳説する。
【００１５】
図１は本発明を適用したデジタルカメラの実施例におけるカメラ本体の正面図、図２は本発明を適用したデジタルカメラの実施例におけるカメラ本体の背面図、図３は本発明を適用したデジタルカメラの実施例におけるカメラ本体の右側面図、図４は本発明を適用したデジタルカメラの実施例におけるカメラ本体の斜視図１、図５は本発明を適用したデジタルカメラの実施例におけるカメラ本体の斜視図２である。
【００１６】
１０１は撮影光学系を構成している鏡筒、１０２は被写体像を観察する為の光学ファインダ窓(対物側)、１０３はＡＦ補助光窓、１０４はストロボ部、１０５は前カバー、１０６はカメラを把持する為に前カバー１０５に備えられたグリップ部である。
【００１７】
１０７はカメラ本体に対し、スライド及び回動動作が可能な電池蓋、１０８は撮影画像の確認・再生、撮影条件などの各種情報を表示する為の液晶表示装置であり、本実施例ではカメラ未使用時及び光学ファインダ使用時などには液晶部を本体背面カバー１１０に対向させる形で収納することができる、所謂バリアングル液晶を搭載している。
【００１８】
１０９は被写体像を観察する為の光学ファインダ窓(接眼側)、１１１は撮影条件等の各種設定の際に使用する操作ボタン、１１２は「再生」、「撮影」の切り替えを行うモードレバー、１１３はストラップを通す為の孔を備えたストラップリング、１１４はスライド及び回動動作により記録媒体の着脱を行うメディア蓋、１１５は各種外部デバイスに接続する為に硬質プリント基板或いはフレキシブルプリント基板上に実装された端子類を保護するコネクタカバーであり、本実施例ではテレビ受信機等の外部映像デバイスに接続する為のアナログビデオ端子、外部直流電源に接続する為の電源端子、ＰＣ等に接続する為のデジタル端子、を備えている。
【００１９】
１１６は、撮影準備及び撮影開始機能を備えた操作部材である所謂レリーズボタン、１１９は光学式変倍機能或いはデジタル式変倍機能において、その倍率を調節操作する為のズームレバーであり、レリーズボタン１１６の中心に対し左右に回動可能である。
【００２０】
１１７は、カメラの撮影モードなどを変更する為のモードダイアル、１１８はカメラ本体の電源のON/OFFを行う為のパワーボタン、１２０は上カバーである。
【００２１】
１２１は、カメラ本体に対して着脱可能に備えられているバヨネットリングである。
【００２２】
本実施例ではバヨネットボタン１２２を押圧した状態で(後述するが、この状態においてバヨネットリング１２１のロックは解除されている)、バヨネットリング１２１を図４中のＡ方向に回動させることにより図５中のＣ方向に取り外し可能な状態となる。
【００２３】
また、図６は本発明を適用したデジタルカメラの実施例におけるバヨネットリングの突起部及びカメラ本体側の溝部を示す斜視図であり、バヨネットリング１２１側に設けられた突起部１２１−ａ、１２１−ｂ、１２１−ｃがそれぞれ、カメラ本体側に設けられた溝部１０５−ａ、１０５−ｂ、１０５−ｃに嵌め込まれる構造となっている。ここで、バヨネット突起部１２１−ａ〜１２１−ｃ及びバヨネット溝部１０５−ａ〜１０５−ｃ、は光軸を中心とする周方向に所定間隔離して配列されている。
【００２４】
バヨネットリング１２１をカメラ本体に装着する際は、まず、バヨネットリング１２１側に設けられた凸形状の指標１２１−ｐ(図７)をカメラ本体側のバヨネットボタン１２２の位置に合わせ、図４中のＢ方向に回動させていく。そして、バヨネットリング１２１の凸形状の指標１２１−ｐが前カバー１０５に設けられた凸形状の指標１０５−ｐの位置にくるまで回動されると、後述のバヨネットロック部材が動作し、カメラ本体に対するバヨネットリング１２１の回転方向の動きが規制される。
【００２５】
ここで、カメラ本体に対するバヨネットリング１２１の半径方向の動きの規制は、３箇所のバヨネット突起部(１２１−ａ〜１２１−ｃ)の内径とカメラ本体側の溝部(１０５−ａ〜１０５−ｃ)外径で行い、カメラ本体に対するバヨネットリング１２１の光軸方向(スラスト方向)の動きの規制は、３箇所のバヨネット突起部(１２１−ａ〜１２１−ｃ)の光軸方向の幅とカメラ本体側の溝部(１０５−ａ〜１０５−ｃ)の幅で行っている。
【００２６】
また、テレコンバーター、ワイドコンバーター、フード、フィルター等の各種アクセサリーを装着する際は、上述のバヨネットリング１２１の装着法と同様の手順を踏めば良い。
【００２７】
次に、本実施例におけるバヨネット部の構成・機構を説明する。
【００２８】
図７は本発明を適用したデジタルカメラの実施例において、バヨネット部の構成を外観側から見た図であり、図８は本発明を適用したデジタルカメラの実施例において、バヨネット部の構成を非外観側から見た図である。
【００２９】
また、図９は図８の詳細図であり、図１０は本発明を適用したデジタルカメラの実施例におけるバヨネット部の組み込み状態を示す図である。
【００３０】
以下、組立て順序に従って説明していく。
【００３１】
まずバヨネットボタン１２２に設けられた２箇所の爪部１２２−ｂ及びボス部１２２−ａを、それぞれに対応するように前カバー１０５側に設けられた不図示の穴部に嵌め込む。前記２箇所の爪部によりバヨネットボタン１２２の抜け止めを行う。
【００３２】
次に前カバー１０５の非外観側に設けられるボス部１０５−ｇ及びバヨネットボタン１２２に設けられる段付きボス部１２２−ａにバヨネットロック部材２０１側に設けられた穴部をそれぞれ嵌め込む。このとき、バヨネットボタン１２２とバヨネットロック部材２０１の関係は図１１のようになっており、バヨネットボタン１２２の段付きボスの小径部１２２−ｂとバヨネットロック部材２０１の穴部が嵌合の関係にある。ここで、バヨネットロック部材２０１は前カバー１０５と回転方向において摺動嵌合の関係にあり、更に後述する保持部材２０３と前カバー１０５により半径方向の規制が行われている。
【００３３】
これによりバヨネットボタン１２２が押圧された際、バヨネットボタン１２２とバヨネットロック部材２０１は、同量のストロークを有する機構となっている。
【００３４】
前カバー１０５にバヨネットボタン１２２及びバヨネットロック部材２０１を組み込んだ状態で、次は前カバー１０５に設けられたダボ部１０５−ｇに付勢部材(コイルバネ)２０２を設置し、更にこの状態で支持部材２０３を前カバー１０５に固定する。
【００３５】
支持部材２０３の前カバー１０５への固定は、支持部材２０３に設けられた穴部２０３-ｃを前カバー１０５に設けられた軸部１０５−ｆに嵌め込んだ後、２０３−ｂ、２０３−ｄ部をそれぞれ前カバー１０５の１０５−ｄ、１０５−ｅにビス締めすることにより行う。
【００３６】
また、フレキシブルプリント基板２０５にはスイッチ２０４が実装されており、フレキシブルプリント基板２０５に設けられた不図示の穴に支持部材２０３の曲げ起こし部２０３−ａを圧入することにより、このフレキ基板は固定されている。
【００３７】
図１２は図１０のＡ−Ａ断面図である。
【００３８】
本断面図はバヨネットボタン１２２の押圧動作が完了した状態であり、この状態でバヨネットボタン１２２に設けられた段付きボスの小径部１２２−ｂがフレキシブルプリント基板２０５に実装されたスイッチ２０４を押圧している。
【００３９】
上記を踏まえ、以下に本発明の実施例におけるバヨネット部の動作について説明する。
【００４０】
前述したように、バヨネットボタン１２２の第一の機能はバヨネットリング(化粧リング)１２１及びテレコンバーター、ワイドコンバーター、フード、フィルター等の各種アクセサリーの着脱動作を行う為の操作部材としての機能である。
【００４１】
そして本発明においてはバヨネットボタン１２２の第二の機能としてスイッチを押圧する為の操作部材としての機能も併せ持たせる。
【００４２】
配置するスイッチとしては、例えば防振機能のＯＮ/ＯＦＦスイッチが有効なものとして挙げられる。
【００４３】
近年のデジタルカメラ等の撮像装置においては、撮像光学系の高倍率化・撮像素子の高画素化に伴う防振機能へのニーズが高く、防振機能を備えた多くの撮像装置が存在する。(公知)
そして、上記公知の防振機能を備えた電子機器においては、その防振機能のＯＮ/ＯＦＦボタンを新規に設ける、或いは他のボタンと併用する、或いはメニュー階層の下位にて選択させる、等の手段をとっていた。
【００４４】
しかしながら上記手段では、単純に部品代のコストアップに繋がったり、また操作性が悪い為にシャッターチャンスを逃す、或いは防振機能ＯＦＦ状態のままで撮影せざるを得ない、といったような不具合があった。
【００４５】
そこで本実施例のような形態をとってやれば、防振機能のＯＮ/ＯＦＦボタンを新規に設ける必要が無く、またメニュー階層の下位にて選択させる場合と比較してスムーズなＯＮ/ＯＦＦの切り替えが可能となる。
【００４６】
更に、バヨネットボタン１２２を鏡筒部１０１を挟んでグリップ部１０６と反対側に配置した場合以下のような効果もある。
【００４７】
一般的に操作者が両手でカメラ本体を把持した場合、片手で把持する場合と比較して手振れが起きにくく、省電の為に防振機能をＯＦＦに設定することが多い。
【００４８】
そこで上述のようにバヨネットボタン１２２をレイアウトしてやれば、操作者がカメラ本体を両手で把持した際に操作者の左手の指がバヨネットボタン１２２の近傍に据えられるので、容易に防振機能をＯＦＦすることができ操作性も良い。
【００４９】
本発明は、１眼レフカメラ、レンズシャッタカメラ、ビデオカメラ、デジタルカメラ等種々の形態のカメラ、更にはカメラ以外の光学機器やその他の装置、更にはそれらカメラや光学機器やその他の装置に適用される装置又は、これらを構成する要素に対しても適用できるものである。
【図面の簡単な説明】
【００５０】
【図１】本発明を適用したデジタルカメラの実施例におけるカメラ本体の正面図。
【図２】本発明を適用したデジタルカメラの実施例におけるカメラ本体の背面図。
【図３】本発明を適用したデジタルカメラの実施例におけるカメラ本体の右側面図。
【図４】本発明を適用したデジタルカメラの実施例におけるカメラ本体の斜視図１。
【図５】本発明を適用したデジタルカメラの実施例におけるカメラ本体の斜視図２。
【図６】本発明を適用したデジタルカメラの実施例におけるバヨネットリングの突起部及びカメラ本体側の溝部を示す斜視図。
【図７】本発明を適用したデジタルカメラの実施例においてバヨネット部の構成を外観側から見た図。
【図８】本発明を適用したデジタルカメラの実施例においてバヨネット部の構成を非外観側から見た図。
【図９】図８の詳細図。
【図１０】本発明を適用したデジタルカメラの実施例におけるバヨネット部の組み込み図。
【図１１】本発明を適用したデジタルカメラの実施例におけるバヨネット操作部材とバヨネットロック部材の作動説明図。
【図１２】図１０の断面図。
【符号の説明】
【００５１】
１０１  鏡筒
１０２  ファインダ(対物側)
１０３  補助光
１０４  ストロボ
１０５  前カバー
１０６  グリップ
１０７  電池蓋
１０８  バリアングル液晶
１０９  ファインダ(接眼側)
１１０  後カバー
１１１  操作ボタン
１１２  モード切替レバー
１１３  ストラップ
１１４  メディア蓋
１１５  コネクタカバー
１１６  レリーズボタン
１１７  モードダイヤル
１１８  パワーON/OFFボタン
１１９  ズームレバー
１２０  上カバー
１２１  バヨネットリング
１２２  バヨネットボタン
２０１  バヨネットロック部材
２０２  付勢部材(コイルバネ)
２０３  保持部材
２０４  スイッチ
２０５  フレキシブルプリント基板
【図１】
2007133237.tif 000003
【図２】
2007133237.tif 000004
【図３】
2007133237.tif 000005
【図４】
2007133237.tif 000006
【図５】
2007133237.tif 000007
【図６】
2007133237.tif 000008
【図７】
2007133237.tif 000009
【図８】
2007133237.tif 000010
【図９】
2007133237.tif 000011
【図１０】
2007133237.tif 000012
【図１１】
2007133237.tif 000013
【図１２】
2007133237.tif 000014